(57)【要約】【課題】  テープ貼付装置２０を使用して貼付する場合であっても、意図しない部分で粘着テープ１０が切断してしまう事が無く、安定して貼付作業を実施する事ができ、かつ必要時には貼付した粘着テープ１０を手でも簡単に切断できるようにした粘着テープ１０の提。【解決手段】  所定幅の基材１２と、当該基材１２の少なくとも何れかの面に設けられた粘着層１４とからなる粘着テープ１０であって、前記基材１２には、その幅方向に長い部分を有する複数の切れ目１６を、当該基材１２の長さ方向に並べて形成してなり、前記切れ目１６は、少なくとも前記基材１２の長さ方向に沿う両側端部から１ｍｍ以上離れた領域に形成されると共に、当該基材１２の長さ方向に沿う両側端部には切れ目１６が存在しない粘着テープ１０とする。【選択図】図１
2014129499.tif 000002
【特許請求の範囲】
【請求項１】
所定幅の基材と、当該基材の少なくとも何れかの面に設けられた粘着層とからなる粘着テープであって、
前記基材には、その幅方向に長い部分を有する複数の切れ目を、当該基材の長さ方向に並べて形成してなり、
前記切れ目は、少なくとも前記基材の長さ方向に沿う両側端部から１ｍｍ以上離れた領域に形成されると共に、当該基材の長さ方向に沿う両側端部には切れ目が存在しない事を特徴とする粘着テープ。
【請求項２】
前記切れ目の長さは４ｍｍ以下であって、基材の長さ方向に並んでいる切れ目同士の間隔は５ｍｍ以上である、請求項１に記載の粘着テープ。
【請求項３】
前記基材の長さ方向に並ぶ複数の切れ目の列は、基材の幅方向に並んで２列形成されており、当該切れ目の列同士の間には、切れ目が存在しない６ｍｍ以上の幅の領域部分が確保されている、請求項１又は２に記載の粘着テープ。
【請求項４】
前記基材の幅方向に並んでいる２列の切れ目は、基材の長さ方向に於いて、各列の切れ目が交互に存在するように形成されている、請求項３に記載の粘着テープ。
【発明の詳細な説明】
【技術分野】
【０００１】
本発明は切断を容易にした粘着テープに関し、特に連続して供給される粘着テープを所定の長さで貼付するテープ貼付機において好適に使用する事のできる粘着テープに関する。
【背景技術】
【０００２】
従来より、粘着テープは、文具や事務用品を始めとする各種物品のシールや包装等に広く利用されている。特に近年に於いては、コンビニエンスストアやスーパー等で販売される弁当や総菜など（以下、「弁当類」とする）の包装として、従来のラップ包装に変わり、粘着テープのみの包装多く利用されている。そしてこのような弁当類の包装としては、内容物を収容した容器本体に蓋体を被せ、容器本体と蓋体とを粘着テープで一体化する包装が行われている。
【０００３】
かかる包装に於いては、弁当類のフタを止めている粘着テープが剥がしにくく、蓋を開けにくいとの問題があった。そこで近年では、簡単に剥がしやすく工夫した粘着テープも提案されており、例えば特許文献１（実用新案登録第３１０５６８１号公報）においては、セロハンテープに糊の付着している部分と付着していない部分をつくり使用後のセロハンテープをはがし易くしたセロハンテープが提案されている。
【０００４】
また、食品容器封緘用粘着テープについては、特許文献２（特開２０１２−２１１２４７号公報）が提案されている。この文献では、冷蔵ショーケース内の剥がれが無く、また電子レンジ加熱後にも糊残りせず、なおかつテープにノッチが入っていても、テープを切ったときに千切れが発生しない粘着テープを提供している。そしてこの文献２では、図５に示すように、手で容易に千切れるように、粘着テープに切れ目を入れる事も提案されている。この切れ目の方向は幅方向でも長さ方向でもよいが、好ましくは長さ方向に切れ目を入れること、切れ目は中央付近に入れてもよいが、好ましくは粘着テープの両側に切れ目を入れるのが好ましいことが記載されている。
【０００５】
更に、切断用具がなくても手で切断可能で、切り目が真っ直ぐになる粘着テープや粘着シートは、特許文献３（実用新案登録第３０７００１３号公報）にも開示されている。この文献では、図６に示すように、粘着テープに切断用ミシン目を入れたことを特徴とするミシン目入り粘着テープが提案されている。そしてテープを切り易くかつ切り口が乱れないようにする為に、テープ両側端部にミシン目の切り欠きが掛かるように形成することも開示されている。
【０００６】
また、平面視で四角形のプラスチック成形品からなる弁当容器等に粘着テープを貼付する為の機械も提案されている。例えば特許文献４（特開２０１２−２０６７４０号公報）には、容器本体に蓋が冠着された容器の外縁に所定長さ毎に切断したテープ片を貼付して蓋と容器本体とを止着するテープ貼付装置であって、テープロールから引き出した粘着テープの始端部を容器の蓋に貼付すると共に切断されたテープ片の終端部を容器本体に貼付する貼付アームと、該貼付アームの下面側において粘着面を下方に向けて引出し案内された粘着テープの始端部を、貼付アーム先端で非粘着面側から吸着する吸着部と、該吸着部よりテープ引出し経路の上流側において粘着テープを貼付アームの下面側で保持する支持手段を備えるテープ貼付装置が開示されている。
【先行技術文献】
【特許文献】
【０００７】
【特許文献１】実用新案登録第３１０５６８１号公報
【特許文献２】特開２０１２−２１１２４７号公報
【特許文献３】実用新案登録第３０７００１３号公報
【特許文献４】特開２０１２−２０６７４０号公報
【発明の概要】
【発明が解決しようとする課題】
【０００８】
上記のように、ハサミ等を使わずに手で簡易にテープを切る為に、当該テープに切れ目乃至はミシン目を設ける事は種々提案されている。しかしながら、何れもテープを切り易くする事だけに着目しており、実際に使用する際の問題は考慮されていない。即ち、弁当や総菜などの容器、或いはその他の物品や容器に粘着テープを貼付する際、その貼付作業を手作業で行うのであれば、細やかに力加減を調整できる事から、意図しない部分で切断してしまうことはない。
【０００９】
しかしながら、上記した様なテープ貼付装置で粘着テープを貼り付ける場合、従前の様に切れ易いだけの加工を施した粘着テープでは、当該テープ貼付装置の動作中に，意図しない部分で粘着テープが切断してしまい、貼付不良を生じさせる問題があった。また、前記特許文献３に示された粘着テープのように、ミシン目の切り欠きをテープ両側端部に掛かるように形成した場合には、テープの引き出し方向が左右方向（当該テープの幅方向）にズレてしまうと、引き出しの際に切断されてしまい作業を中断せざるを得なかった。更に、単に粘着テープに入れる切れ目の方向を幅方向とした場合には、テープの切れ易さは向上するものの、引っ張り強度が弱くなってしまい、テープ貼付装置を使用して貼付する事が困難であった。即ち、切れ易さを追求する事とテープ貼付装置を使用して貼付する事とを同時に達成するのは困難であった。
【００１０】
そこで本発明では、テープ貼付装置を使用して貼付する場合であっても、意図しない部分で粘着テープが切断してしまう事が無く、安定して貼付作業を実施する事ができ、かつ必要時には貼付した粘着テープを手でも簡単に切断できるようにした粘着テープを提供する事を第一の課題とする。
【００１１】
また、前記特許文献３に記載されているように、テープ両側端部にミシン目の切り欠きを形成した場合には、粘着テープをロール状に巻いた状態に於いて、その側面には、前記切り欠きに起因する凹凸が出現することもあった。そしてこのロールテープ側面の凹凸は、粘着テープの引き出し時にテープディスペンサー等と干渉してしまい、円滑なテープの引き出しを妨げていた。
そこで本発明では、手でも簡単に切断できるようにしながらも、ロール状に巻いた場合であっても、その側面に凹凸が出現しない粘着テープを提供する事を第二の課題とする。
【００１２】
更に、弁当や総菜の包装容器、又はその他の物品や、その包装に貼付される粘着テープは、少なくとも容器を開ける際には利用者が目視する部分である。即ち、包装用容器に於いて、粘着テープは視認・認知され易い部分であり、広告的効果も高い部分である。
そこで本発明は、手でも簡単に切断できるようにしながらも、十分な広告的効果を発揮できる広告スペースを確保した粘着テープを提供する事を第三の課題とする。
【課題を解決するための手段】
【００１３】
上記課題の少なくとも何れかを解決する為に、本発明ではテープの幅方向に長い切れ目を形成すると共に、テープの両側端部には切れ目を形成しない事により、引っ張り強度を向上させた粘着テープを提供する。
【００１４】
即ち、本発明では、所定幅の基材と、当該基材の少なくとも何れかの面に設けられた粘着層とからなる粘着テープであって、前記基材には、その幅方向に長い部分を有する複数の切れ目を、当該基材の長さ方向に並べて形成してなり、前記切れ目は、少なくとも前記基材の長さ方向に沿う両側端部から１ｍｍ以上離れた領域に形成されると共に、当該基材の長さ方向に沿う両側端部には切れ目が存在しない粘着テープを提供する。
【００１５】
かかる粘着テープは、所定幅の基材と、この基材の少なくとも何れかの面に設けられた粘着層とで構成され、更に基材の何れかの面に各種の装飾等を伴う事も可能である。
【００１６】
当該粘着テープを構成する基材は、従前においても粘着テープに使用されている各種材料を用いて形成する事ができ、例えばセロハン、ポリエステル、ポリプロピレン、ポリスチレン、オリエントポリプロピレンなどの合成樹脂材料の他、紙や布等を使用する事もできる。かかる基材は、帯状乃至はテープ状、或いはシート状に形成する事ができ、少なくとも一定の幅と長さを有する形状に形成される。特に食品包装用容器に使用し、且つテープ貼付装置で貼付する場合には、引っ張り強度を高めるためにオリエントポリプロピレンを用いて形成するのが望ましい。
【００１７】
上記基材の少なくとも何れかの面には粘着層が設けられる。かかる粘着層を形成する材料は、従前における粘着テープに使用される材料であれば特に問題なく使用する事ができる。ただし、食品包装容器に使用するか、工業用用途で使用するか等、その用途に応じて適宜選択されるべきである。そして本発明に係る粘着テープに於いて、当該粘着層は、前記基材の少なくとも何れかの面に設けられていれば良く、当該基材の片面或いは両面に粘着層を形成したものであって良い。また、当該粘着層は基材における少なくとも何れかの面の全面に設ける他、何れかの領域だけ設けても良く、或いは帯状の粘着層を所定の間隔で設ける事もできる。
【００１８】
そして本発明に係る粘着テープでは、切れ易くする為に、少なくとも上記基材に、その幅方向に長い部分を有する複数の切れ目を形成している。かかる切れ目は、幅方向に長い部分が存在すれば良く、その他に長さ方向に長い切れ目部分が存在しても良い。或いは菱形や長楕円形状の孔であって、対角線又は長軸の向きが幅方向に向くように形成しても良い。即ち、本発明における切れ目は、線状に切り込みを入れた形状のみならず、一定の面積を有する孔として形成したものも含んでいる。
【００１９】
かかる切れ目は、基材の長さ方向に並べて形成してあり、一定の間隔で規則的に、或いは規則性の無い任意の間隔で並べて形成しても良い。更に一定の間隔で形成する場合であっても、全ての切れ目を同じ間隔で配置する他、複数個の切れ目毎に異なる間隔で配置する事もできる。
【００２０】
そして上記切れ目は、少なくとも基材に形成される必要があるが、基材を貫通すると共に、粘着層も貫通するように形成しても良い。特に粘着層が引っ張り強度の高い材料及び／又は厚さで形成されている場合、具体的には手で切断するのが困難な場合には、当該粘着層にも切れ目が形成されている事が必要である。この場合当該切れ目は基材を貫通しそのまま粘着層も貫通するように形成されるのが望ましい。
【００２１】
上記の様に、少なくとも基材に対して、幅方向に長い切れ目を、基材の長さ方向に複数形成する事により、当該切れ目が存在する位置において基材の引っ張り強度が弱くなり、切れ目を契機として基材、更には当該粘着テープを容易に切断する事ができる。
【００２２】
そして上記切れ目は、後述するように基材の幅方向に複数個配置する事もできる。この場合であっても、当該切れ目は、少なくとも前記基材の長さ方向に沿う両側端部から１ｍｍ以上離れた領域に形成し、基材の長さ方向に沿う両側端部には切れ目が存在しない事が必要である。基材の長さ方向に沿う両側端部には切れ目が存在しない事により、粘着テープの長さ方向に真っ直ぐに引っ張らない場合、即ち僅かに斜め方向に引っ張った場合であっても、基材の長さ方向に沿う両側端部に切れ目が存在しない事から、引っ張る方向次第では簡易に切断してしまうといった問題を無くす事ができる。
【００２３】
また、切れ目は基材の長さ方向に沿う両側端部から１ｍｍ以上離れた領域に形成されており、よって基材の長さ方向に沿う両側端部から１ｍｍ以上の範囲は、粘着テープを引き出す際の補強部として機能することができ、これにより意図しない粘着テープの切断を回避する事ができる。かかる補強部の幅、即ち基材の長さ方向に沿う両側端部において切れ目が存在しない領域の幅は、１ｍｍ以上、望ましくは１．５ｍｍ以上であり、これはテープを構成する基材や粘着層の材質や厚さ、或いは切れ目の形状等を考慮した上で適宜調整する事ができる。
【００２４】
そして一般的に食品の包装であって容器本体に対して蓋体を固定する為に使用する場合には、多くの場合約１９ｍｍ幅の粘着テープが使用されている事を鑑みれば、本発明に係る粘着テープは、約１９ｍｍ幅であり、基材がオリエントポリプロピレンからなるシートであって、前記切れ目の長さは４ｍｍ以下で、基材の長さ方向に並んでいる切れ目同士の間隔は５ｍｍ以上である事が望ましい。この様に構成する事により、テープ貼付装置を用いて粘着テープの引き出し、貼付、切断を行う工程において、意図せず粘着テープが切断してしまうといった問題を無くす事ができる。
【００２５】
また、上記切れ目は基材の長さ方向に複数配列される事になるが、当該基材の長さ方向に並ぶ複数の切れ目の列は、１列で形成する他、基材の幅方向に並んで２列形成することもできる。この様に切れ目の列を２列形成する場合には、当該切れ目の列同士の間には、切れ目が存在しない６ｍｍ以上の幅の領域部分を確保するのが望ましい。この切れ目の存在しない領域部分に、会社名その他の広告を表示する事により、広告効果を高める事ができる為である。また、このように切れ目の列同士の間に、切れ目が存在しない６ｍｍ以上の幅の領域部分を確保する事で、粘着テープを引き出す際のねじれを防止できると共に、更にテープ貼付装置により粘着テープの表面（上面）側を吸引して引き出す際にも、当該粘着テープの吸引を確実に行う事ができる。なお、この領域部分は、前述の通り広告を表示する為の広告領域として使用する他、広告以外の装飾を施す為の装飾領域としても使用する事ができる。
【００２６】
そして基材の長さ方向に複数個配列した切れ目の列を、基材の幅方向に２列以上形成した場合に於いては、基材の長さ方向に於いて、各列の切れ目が交互に存在するように形成するのも望ましい。また基材の幅方向に並んでいる２列の切れ目は、相互に千鳥状に配置する事も望ましい。基材の長さ方向への引っ張り強度を確保しながらも、任意の場所で切断できるようにする為である。
【００２７】
また、本発明に係る粘着テープは、必ずしも容器本体と容器蓋体とを繋ぎ止める為だけに使用されるものでは無く、封筒を閉じる等の文具として、その他様々な用途において使用する事ができる。特に本発明に係る粘着テープは、幅方向に切断するのは容易であるものの、当該粘着テープの長さ方向に切断乃至は引き裂くには困難に形成されている。したがって、幅方向に切断する事が必要な粘着テープとして有効に使用する事ができる。
【００２８】
そして本発明は必ずしも粘着テープに於いてのみ実施されるものでは無く、単なるテープ、即ち粘着層を有しない基材の実からなるテープに於いて実施する事も、本発明の思想に含まれ、本発明とは技術的に均等の範囲内である。
【発明の効果】
【００２９】
上記のように構成された本発明に係る粘着テープによれば、当該粘着テープを構成する基材には、その幅方向に長い部分を有する複数の切れ目が形成されている事から、当該粘着テープの幅方向に、手でも容易に切断する事ができる。また、この切れ目は、当該基材の長さ方向に並べて形成してあることから、任意の場所で容易に切断する事ができる。
【００３０】
更に、前記切れ目は、少なくとも前記基材の長さ方向に沿う両側端部から１ｍｍ以上離れた領域に形成されると共に、当該基材の長さ方向に沿う両側端部には切れ目が存在しない事から、テープ貼付装置で引き出す際、特に基材の幅方向にずらして引き出した場合であっても、意図しない部分で切断されてしまう事を防止できる。また、基材の長さ方向に沿う両側端部には切れ目が存在しないことから、テープ貼付装置で引き出す際にも、当該テープ貼付装置に引っ掛かる等の問題が無く、円滑なテープ貼付作業を行う事ができる。
【００３１】
よって本発明に係る粘着テープによれば、テープ貼付装置を使用して貼付する場合であっても、意図しない部分で粘着テープが切断してしまう事が無く、安定して貼付作業を実施する事ができ、かつ必要時には貼付した粘着テープを手でも簡単に切断できるようにした粘着テープを提供することができる。
【００３２】
また基材の長さ方向に沿う両側端部には切れ目が存在しないことから、粘着テープをロール状に巻いた状態に於いても、その側面には、前記切り欠きに起因する凹凸が出現することはない。よって粘着テープの引き出し時にもテープディスペンサー等と干渉する事は無く、円滑なテープの引き出しを実現した粘着テープを提供する事ができる。
【００３３】
更に、基材の長さ方向に並ぶ複数の切れ目の列を、基材の幅方向に２列並べて形成し、当該切れ目の列同士の間には、切れ目が存在しない６ｍｍ以上、望ましく１０ｍｍ以上の幅の領域部分を形成した場合には、当該領域部分を広告領域として使用する事ができる。この為、弁当や総菜の包装容器、又はその他の物品や、その包装に貼付される粘着テープ等、少なくとも容器を開ける際には利用者が目視する部分に対して広告を表示する事ができ、これにより手でも簡単に切断できるようにしながらも、十分な広告的効果を発揮できる広告スペースを確保した粘着テープを提供する事ができる。
【図面の簡単な説明】
【００３４】
【図１】（Ａ）は本実施の形態に係る粘着テープを示す斜視図、（Ｂ）は当該粘着テープを示す拡大平面図
【図２】テープ貼付装置で本実施の形態に係る粘着テープを貼付する状態を示す略図
【図３】本実施の形態に係る粘着テープを包装容器に貼付した状態を示す側面図
【図４】他の実施の形態に係る粘着テープを示す部分拡大斜視図
【図５】従来の例における粘着テープを示す図面
【図６】従来の例における他の粘着テープを示す図面
【発明を実施するための形態】
【００３５】
以下、本実施の形態に係る粘着テープ１０を、図面を参照しながら具体的に説明する。図１において（Ａ）は本実施の形態に係る粘着テープ１０を示す斜視図であり、（Ｂ）は当該粘着テープ１０を示す平面図である。また図２はテープ貼付装置２０で本実施の形態に係る粘着テープ１０を貼付する状態を示す略図であり、図３は本実施の形態に係る粘着テープ１０を包装容器に貼付した状態を示す側面図であり、図４は他の実施の形態に係る粘着テープ１０を示す部分拡大斜視図であり、図５及び６は従来の例における粘着テープ１０を示す図面である。
【００３６】
図１に示す実施の形態に係る粘着テープ１０は、特にロール状に巻いた状態を示しており、これは後述するテープ貼付装置２０において連続的に粘着テープ１０を供給できるようにしたものである。かかる粘着テープ１０の表側にオリエントポリプロピレンからなる基材１２が存在し、当該基材１２の裏側に粘着層１４が設けられ、これをロール状に巻いて形成されている。この実施の形態に於いて、基材１２には、当該粘着テープ１０の幅方向に延びる切れ目１６が形成されており、この切れ目１６は粘着テープ１０の長さ方向に所定の間隔で配置されている。この時、当該切れ目１６は、少なくとも粘着テープ１０の側縁に到達しないように形成されており、具体的には粘着テープ１０の側縁から１ｍｍ程度の位置で止められている。その結果、この粘着テープ１０の側縁には、切れ目１６が存在せず、連続した状態となっている。
【００３７】
また、この図１に示す粘着テープ１０は、粘着テープ１０の長さ方向に設けられた複数の切れ目１６からなる列が、幅方向に２条（２列）形成されている。その結果、粘着テープ１０の幅方向のどちらから切断しても、ハサミ等を要せずして手で切断する事ができる。実際に、この粘着テープ１０を切断する際には、何れかの側縁を引き裂くような力を加える事により、切れ目１６と側縁との間の部分がちぎれ、これが切れ目１６となって力を要することなく切断する事ができる。
【００３８】
そして粘着テープ１０の長さ方向に存在する切れ目１６の列の間には、本実施の形態では切れ目１６が存在しない領域部分１８が形成されている。この領域部分１８は図１（Ｂ）に示すように、企業名を表示する等の広告スペースとして使用したり、或いは包装容器における装飾性を高める為のデザインを印刷する事ができる。ただし、この領域部分１８の形成は任意であって、省略する事もできる。この場合には、前記切れ目１６をもっと長く形成する事もできる。
【００３９】
図２は、上記のように形成した粘着テープ１０を、テープ貼付装置２０により貼付する状態を示している。この図に示すように、容器本体３２と蓋体３４とで構成される包装用容器３０は支持台２４に支持されており、この包装用容器３０の両側には、ロール状に巻かれた粘着テープ１０のロールが存在し、各ロールから粘着テープ１０が引き出されている。引き出されたロールテープは、図面に示すアーム２２の下面で吸引しながら保持している。この時、当然のことながら粘着層１４は包装用容器３０に対向する向きに存在する。そしてテープ貼付装置２０のアーム２２が包装用容器３０の外側をなぞるように移動する事で、ロールから供給される粘着テープ１０は包装用容器３０に貼付される。そして包装用容器３０の下面までテープ貼付装置２０のアーム２２が移動し、粘着テープ１０を貼付した後に、当該粘着テープ１０は切断され、次の場所乃至は次の容器に対して粘着テープ１０を貼付する。
【００４０】
かかるテープ貼付装置２０による粘着テープ１０の貼付に際して、本発明に係る粘着テープ１０は、側縁部分に切れ目１６が無い事から、アーム２２に対して粘着テープ１０が斜めに供給された場合であっても、当該粘着テープ１０が切断してしまう事が無く、よって当該テープ貼付装置２０を使用して、安定して貼付作業を行う事ができる。
【００４１】
以上の様にしてテープ貼付装置２０で貼付した粘着テープ１０は、容器の蓋体３４を開ける際に切断される。この時、容器の中身の利用者は、確実に貼付されている粘着テープ１０を確認する事になる。そこで、この実施の形態では、当該切れ目１６の間に前記領域部分１８を形成し、ここに製造者を印刷する等、広告スペース乃至は情報記載領域として活用している。その結果、通常であれば、包装容器の底面等、目立たない場所にしか記載されていない製造者名を、利用者に対して確実に知らしめる事ができる。
【００４２】
図４は、他の実施の形態に係る粘着テープ１０であり、特に切れ目１６の形状や配置等を前記図１に示した実施の形態と異ならせている。なお、各図における矢印（Ｐ）は、切断時に力を加える仮想点を示しており、点線は当該仮想点に力を入れた時に切断される可能性のある切断線を示している。ただし、当然のことながら鎖線とは異なる部分で切断される可能性を否定するものではない。
【００４３】
先ず図４（Ａ）は、前記図１に示した実施の形態とは、切れ目１６の配置を異ならせている。即ち、前記図１に示した実施の形態では、各切れ目１６を幅方向に於いて隣り合う位置関係で形成していたが、この図４（Ａ）の実施の形態に係る粘着テープ１０では、切れ目１６をテープの長さ方向に千鳥状となるように配置している。即ち何れかの切れ目１６の列を構成する切れ目１６は、他の列の切れ目１６同士の間に存在するように形成されている。この様に切れ目１６を形成する事で、これを切断した場合には、図面中に鎖線で示すように、切り口が斜めになる様に切断する事ができる。
【００４４】
また図４（Ｂ）は、前記図１に示した実施の形態とは、切れ目１６の形状が異なっている。即ち、この実施の形態に係る粘着テープ１０では、基材１２（粘着テープ１０）の幅方向に延びる切れ目１６の他、当該基材１２（粘着テープ１０）の長さ方向にも伸びる切れ目１６を形成している。この様に形成した場合には、当該粘着テープ１０を切断する際に力を加える向きに応じて切断線を変化させる事ができ、この図面では、例えば粘着テープ１０の長さ方向に直交する向きに力Ｐ１を加えた場合には、幅方向に直線状の切り口とすることができ、一方で斜めの向きから力Ｐ２を加えた場合には、その力の向きに応じて最も切れ易い経路で粘着テープ１０を切断することができる。
【００４５】
そして図４（Ｃ）は、切り口を広さのある孔として形成した例を示している。この図においては、特に菱形の孔を形成した例を示しているが、その他の形状であっても良い。ただし、粘着テープ１０における切断の容易性を考慮すれば、当該孔の形状は、幅方向の両側に、鋭角な内角を有する形状である事が望まし。この様な孔の形状とした切り込みも、前記図４（Ａ）に示した様に、千鳥状に配置する事もできる。
【００４６】
本発明は、上記実施の形態に限られるものでは無く、本発明の要旨を逸脱しない範囲に於いて、適宜変更する事ができる。
【産業上の利用可能性】
【００４７】
上記本発明に係る粘着テープは、食品包装容器の容器本体と蓋体を貼り合わせる為、或いはその他の容器に於いて、少なくとも使用乃至は開封時などに於いて、粘着テープを剥がすか切断しなければならない場合に、有効に使用する事ができる。
【００４８】
その他にも、物品を貼り合わせる為、或いは封止する為等の用途に於いて使用する事ができ、粘着テープの幅方向に容易に切断できる新たな商品として利用する事ができる。
【符号の説明】
【００４９】
１０    粘着テープ
１２    基材
１４    粘着層
１６    切れ目
１８    領域部分
２０    テープ貼付装置
２２    アーム
２４    支持台
３０    包装用容器
３２    容器本体
３４    蓋体
【図１】
2014129499.tif 000003
【図２】
2014129499.tif 000004
【図３】
2014129499.tif 000005
【図４】
2014129499.tif 000006
【図５】
2014129499.tif 000007
【図６】
2014129499.tif 000008